(57)【要約】【課題】魚釣用リールの取付脚部にフードの内面を面接触させ、取付脚部のガタツキ又は緩みを防止することのできるリールシートを提供すること。【解決手段】魚釣用リールの取付脚部７を、リール脚載置面１８上に両端側から押圧固定する移動フード１６および固定フード２２を備え、この移動フード１６に、固定フード２２側およびリール脚載置面１８側に開口し、取付脚部７を受入れる開口部３６と、この開口部３６内に配置され、リール脚載置面１８に載置された取付脚部７の外面に当接する保持部材３８と、この保持部材３８の径方向外方に配置され、保持部材３８が開口部内で変形するのを可能とする空隙部４０とを有し、取付脚部７をリール脚載置面１８上に締付けたときに、保持部材３８が空隙部４０内に膨出し、取付脚部７の外面に沿って面接触するリールシートリール１０。【選択図】      図２
2010035428.tif 000002
【特許請求の範囲】
【請求項１】
魚釣用リールの取付脚部を載置するリール脚載置面を形成したリールシート本体と、魚釣用リールの取付脚部を、リール脚載置面上に両端側から押圧固定する一対のフードとを備え、この一対のフードの少なくとも一方は、リール脚載置面の長手方向に沿って移動される移動フードとして形成されるリールシートであって、
前記移動フードは、他方のフード側およびリール脚載置面側に開口し、前記取付脚部を受入れる開口部と、この開口部内に配置され、リール脚載置面に載置された取付脚部の外面に当接する保持部材と、この保持部材の径方向外方に配置され、保持部材が開口部内で変形するのを可能とする空隙部とを有し、前記取付脚部をリール脚載置面上に締付けたときに、前記保持部材が変形して空隙部内に膨出し、取付脚部の外面に沿って面接触することを特徴とするリールシート。
【請求項２】
前記空隙部内に、保持部材の変形に抗して反発力を形成する反発部材が配置されることを特徴とする請求項１に記載のリールシート。
【請求項３】
前記移動フードは、空隙部を内側に区画し、前記保持部材の変形を空隙部内に規制する外側フードを有することを特徴とする請求項１又は２に記載のリールシート。
【請求項４】
前記外側フードは、金属で形成され、保持部材は、樹脂で形成され、この保持部材が外側フードに固定されることを特徴とする請求項１から３のいずれか１つに記載のリールシート。
【請求項５】
前記外側フードは、保持部材と共に樹脂で一体に形成され、保持部材は、外側フードよりも薄肉構造を有することを特徴とする請求項１から３のいずれか１つに記載のリールシート。
【発明の詳細な説明】
【技術分野】
【０００１】
本発明は、釣竿に魚釣用リールを取付けるリールシートに関する。
【背景技術】
【０００２】
一般に、釣竿に魚釣用リールを取付けるリールシートは、リールの取付脚部を載置するリール脚載置面をリールシート本体に形成し、このリール脚載置面の長手方向に沿って対向配置した一対のフードにより、リールの取付脚部をこのリール脚載置面上に保持する。これらの一対のフードは、それぞれが取付脚部を受け入れる開口部を有し、一方をリール脚載置面に沿って移動し、これらの一対のフードの傾斜した内面間に取付脚部を挟持させ、リール脚載置面上に押圧することにより、リールを釣竿に装着する。
【０００３】
このようなリールシートには、金属製フードをプラスチック製螺環の前端に回転自在に係合し、この螺環の回転にしたがって筒状リールシート上を長手方向に移動し、対向する固定フードと共に、受入れたリールの取付脚部をリール脚載置面に押圧し、保持するものがある（例えば特許文献１参照）。
【０００４】
また、竿杆の外周に固定する細長い板状のシート本体の長さ方向一端に固定フードを設け、他方側には、シート本体に形成した一対のレールに沿って摺動し、このレール間に形成した係合歯に固定用爪部材を係合して固定する可動フード機構を設けたものもある（例えば特許文献２参照）。
【特許文献１】特開平８−１９６１７０号公報
【特許文献２】特開２００４−２８３１２３
【発明の開示】
【発明が解決しようとする課題】
【０００５】
しかし、魚釣用リールは取付脚部の外形又は大きさが区区であることから、フードの内面と点接触または線接触するだけで、全てのリールの取付脚部に対して面接触することはほとんどない。特に、点接触または線接触の状態で保持されている場合には、強固に締付けた状態であっても、魚釣用リールの保持力が不足し、更に、バランスよく押圧することができないため、ガタツキが生じ易く、緩みの要因となる。
【０００６】
本発明は、このような事情に基づいてなされたもので、魚釣用リールの種々の取付脚部にフードの内面を面接触させ、取付脚部のガタツキ又は緩みを防止することのできるリールシートを提供することを目的とする。
【課題を解決するための手段】
【０００７】
上記目的を達成するため、本発明によると、魚釣用リールの取付脚部を載置するリール脚載置面を形成したリールシート本体と、魚釣用リールの取付脚部を、リール脚載置面上に両端側から押圧固定する一対のフードとを備え、この一対のフードの少なくとも一方は、リール脚載置面の長手方向に沿って移動される移動フードとして形成されるリールシートであって、前記移動フードは、他方のフード側およびリール脚載置面側に開口し、前記取付脚部を受入れる開口部と、この開口部内に配置され、リール脚載置面に載置された取付脚部の外面に当接する保持部材と、この保持部材の径方向外方に配置され、保持部材が開口部内で変形するのを可能とする空隙部とを有し、前記取付脚部をリール脚載置面上に締付けたときに、前記保持部材が変形して空隙部内に膨出し、取付脚部の外面に沿って面接触するリールシートが提供される。
【０００８】
前記空隙部内に、保持部材の変形に抗して反発力を形成する反発部材を配置してもよい。
【０００９】
前記移動フードは、空隙部を内側に区画し、前記保持部材の変形を空隙部内に規制する外側フードを有することが好ましい。
【００１０】
前記外側フードは金属で形成され、前記保持部材は樹脂で形成され、この保持部材が外側フードに固定されることが好ましい。
【００１１】
また、前記外側フードは、保持部材と共に樹脂で一体に形成されてもよく、この保持部材は、外側フードよりも薄肉構造を有することが好ましい。
【発明の効果】
【００１２】
本発明のリールシートによると、魚釣用リールの取付脚部をリール脚載置面上に締付けるときに、保持部材が保取付脚部の外面に沿って面接触することにより、この取付脚部の外面形状に係わりなく、取付脚部をリール脚載置面側に均一に押圧し、取付脚部のガタツキ又は緩みを防止することができる。
【００１３】
空隙部内に反発部材が配置される場合には、その反発力でより強力に取付脚部をリール脚載置面上に押圧することができる。
【００１４】
保持部材の変形を規制する外側フードが配置される場合には、取付脚部の外面に面接触した保持部材を介してより強固な押圧力を、取付脚部に作用させることができる。
【００１５】
特に、外側フードが金属で形成される場合には、外径を小さく形成することができ、保持部材と共に樹脂で一体に形成される場合には、より簡単な構造に形成することができる。
【発明を実施するための最良の形態】
【００１６】
図１から図４は、本発明の好ましい実施形態によるリールシート１０を示す。このリールシート１０は、元竿管８（１本竿の場合は、竿杆の竿尻側）に設け、例えば魚釣用スピニングリールの前後方向に延びる取付脚部７を固定するための中空管状構造のリールシート本体１２を備える。このリールシート本体１２の例えば後端側である軸方向の一端側は、外周部に雄ネジを形成したネジ部１４を配置してあり、このネジ１４部に沿って移動フード１６が軸方向に移動自在に装着される。
【００１７】
リールシート本体１２は、合成樹脂（例えばナイロンやＡＢＳ等）あるいは金属（例えばＳＵＳ、アルミニウム、チタン、真鍮等）等の適宜の材料から中空構造の筒状に形成され、図では下側に示す一側に、魚釣用リールの取付脚部７を載置するリール脚載置面１８が形成されている。更に、このリールシート本体１２には、移動フード１６に向けて開口部２０を後方に向けて開口させた固定フード２２が一体的に設けられている。この固定フード２２の開口部２０は、前方に向けて次第に内面の高さ（リール脚載置面１８との距離）が低くなり、この開口部２０から受入れた取付脚部７の一端が内方に押圧されたときに、この取付脚部７をリール脚載置面１８側に付勢する。本実施形態の固定フード２２は、リールシート本体１２と一体構造に形成してある。これに代え、金属又は硬質の合成樹脂でリールシート本体１２と別体構造に形成し、リールシート本体１２に強固に固定してもよい。金属で形成する場合には、リールの取付脚部に当接する部位に樹脂製部材を配置し、金属間の接触による各部材の損傷を防止することが好ましい。
【００１８】
このリールシート本体１２は、リール脚載置面１８の反対側を僅かに膨出させ、握持する手で握り込んだときに、母指球またはその近部を支えることで握持しやすい湾曲形状の外面を有する握り部２４を形成してある。このリールシート本体１２の内部は、例えば複数の空洞部を形成し、軽量化することも可能である。
【００１９】
リールシート本体１２の後端側に設けたネジ部１４は、移動フード１６よりも僅かに軸方向に長く形成してあり、後端まで、リール脚載置面１８が延設される。このリール脚載置面１８の反対側には、ネジ山を横切る軸方向溝２６（図３（Ｂ））を延設してある。この軸方向溝２６により、後述するフード本体を、回転を防止しつつ軸方向に沿って案内することができる。
【００２０】
図４に示すように、本実施形態の移動フード１６は、その全体がリールシート本体１２のネジ部１４が挿通される軸方向孔１６ａを貫通させたスリーブ状に形成してあり、ナット部材２８と、このナット部材２８の前端に外側フード３２を介して回転自在に連結されたフード本体３０とを有する。
【００２１】
ナット部材２８は、リールシート本体１２のネジ部１４に螺合する雌ネジを内周側に形成し、前端部には、外側フード３２の後端部が回転自在でかつ抜けを防止された状態で連結されている。図示の実施形態では、ナット部材２８外周部に形成した前端凹部に、外側フード３２の後端内周から突出する突条を嵌合することにより、相対回転を自在としつつ抜けを防止しているが、これとは逆に外周凹部を外側フード３２に設け、内周から突出する突条をナット部材２８の前端部に設けてもよい。また、周方向に延びる突条は、全周にわたって連続することが好ましいが、不連続であってもよい。いずれの場合も、ナット部材２８をリールシート本体１２のネジ部１４上で回転することにより、フード本体３０を軸方向に沿って移動することができる。ナット部材２８の外周には、図４の（Ａ）に符号２８ａで示すような装飾兼滑り止めを形成しておくことが好ましい。
【００２２】
このナット部材２８で軸方向に移動されるフード本体３０は、外側フード３２の内面に、軸方向に延びる突起３４を突出し、リールシート本体１２のネジ部１４に形成した軸方向溝２６（図３の（Ａ））で回転を阻止されつつ軸方向に案内される。この突起３４は、ネジ部１４の少なくとも１ピッチ以上の長さに形成され、ネジ部１４に隣接する握り部２４に嵌合する後端部には形成されない。
【００２３】
この突起３４の径方向反対側には、軸方向において前方および内周側に開口し、魚釣用リールの取付脚部７の後端を受入れる開口部３６が形成されている。この開口部３６は、移動フード１６をリールシート本体１２のネジ部１４に装着したときに、固定フード２２の開口部２０に対向する。この開口部３６は、固定フード２２の開口部２０とは逆に、後方に向けて次第に内面の高さが低くなる。
【００２４】
本実施形態のフード本体３０は、開口部３６内に、リール脚載置面１８に載置された取付脚部７の外面に当接する保持部材３８を配置してある。この保持部材３８は、開口部３６を内側に区画する外側フード３２の壁部３６ａに固定された固定部３８ａと、この固定部から前方に延び、外周側すなわち壁部３６ａ側に空隙部４０を形成する押圧部３８ｂを有する。
【００２５】
固定部３８ａは、壁部３６ａの内面に密着した状態で開口部３６の開口端から後方に延びる。また、押圧部３８ｂは、魚釣用リールの取付脚部７の端部を受入れる略Ｕ字状の横断面形状を有する。本実施形態では、開口部３６の開口端側で壁部３６ａに当接した固定部３８ａの板状部分３８ｃと、押圧部３８ｂとの間に空隙部４０を形成してあり、この板状部分３８ｃが押圧部３８ｂを支え、その形状を維持している。
【００２６】
この保持部材３８は、外側フード３２に対して柔軟な材料で形成され、取付脚部７を締付けるときに、押圧部３８ｂは、取付脚部７の外面に沿って変形し、このときの変形の状態に応じて空隙部４０内に膨出する。一方、外側フード３２は、保持部材３８の変形を開口部３６内に規制し、フード本体３０の外形が取付脚部７を締付けたときも締付解除したときも変化することなく、同一の形状および寸法を維持するために十分な強度および剛性に形成してある。これにより、取付脚部７の外面に面接触した保持部材３８を介してより強固な押圧力を、取付脚部７に作用させることができる。
【００２７】
このような保持部材３８を形成する材料は、取付脚部７の外面に沿って変形可能な柔軟性を有すると共に、取付脚部７をリール脚載置面１８上にガタツキを生じることなく保持することのできる剛性を確保するために、ナイロンが好ましい。また、外側フード３２は、保持部材３８を介して取付脚部７を確実に保持するために、ナイロンガラス補強材、ナイロンカーボン補強材等の硬質の合成樹脂、又は、ＳＵＳ、アルミニウム、真鍮等の金属で形成することが好ましい。特に、金属で形成する場合には、薄肉構造でも、保持部材３８を介して取付脚部７をリール脚載置面１８上に保持するのに十分な強度および剛性を維持でき、フード本体３０の外側フード３２の外径を小さく形成することができる。
【００２８】
このように形成した移動フード１６を用いてリールシート１０に魚釣用リールの取付脚部７を固定する場合は、以下のように行う。
【００２９】
まず、図１に示すように、リールシート本体１２のリール脚載置面１８に取付脚部７を当接させ、前端部を固定フード２２の開口部２０内に挿入し、移動フード１６のナット部材２８をネジ部１４上で回転させ、フード本体３０を前方に移動する。このフード本体３０の開口部３６内に配置した保持部材３８の押圧部３８ｂと、リール脚載置面１８との間に取付脚部７の前端を差し込み、押圧部３８ｂの内面を取付脚部７の外面に当接する。
【００３０】
図２に示すように、ナット部材２８を更に締付け、フード本体３０を前方に移動すると、固定フード２２で前方への移動を阻止された取付脚部７上にフード本体３０が押込まれ、取付脚部７の外面を保持部材３８の押圧部３８ｂが前方に摺動しつつリール脚載置面１８上に押圧される。押圧部３８の内面が取付脚部７の外面に沿って変形し、この変形が空隙部４０で吸収される。
【００３１】
このように形成した移動フード１６を備えたリールシート１０は、保持部材３８の押圧部３８ｂの内面が、その柔軟性又は弾力により、取付脚部７の外面に沿った形状に変形しつつ、この取付脚部７をリール脚載置面１８上に押圧するため、この保持部材３８の押圧部３８ｂの内面が取付脚部７の外面に沿って面接触する。これにより、この取付脚部７の外面形状に係わりなく、取付脚部７をリール脚載置面１８側に均一に押圧し、取付脚部７のガタツキ又は緩みを防止する。
【００３２】
この押圧部３８ｂが膨出する空隙部４０は、押圧部３８ｂの変形を吸収して面接触を可能とする容積が確保できるものであればよく、取付脚部７の幅（リール脚載置面１８の延設方向に対して略直交する方向）と等しい範囲又はこれより狭い範囲にわたって形成することも可能である。また、壁部３８ａの内面に密着状態で装着した板状部３８ｃは、省略してもよく、この場合には、押圧部３８ｂが後端側の固定部３８ａで支えられ、保持部材３８の押圧部３８ｂと壁部３６ａとの間に空隙部４０が形成される。
【００３３】
図５は、移動フード１６の変形例を示す。なお、以下に説明する種々の変形例又は実施形態も、基本的には上述の実施形態と同様であるため、同様な部位には同様な符号を付し、その詳細な説明を省略する。
【００３４】
図５に示す移動フード１６は、空隙部４０内に、保持部材３８の変形に抗して反発力を形成する反発部材４２を収容したものである。この反発部材４２は、押圧部３８ｂの変形又は膨出に対する反発力で、より強力に取付脚部７をリール脚載置面１８上に押圧することができる。
【００３５】
この反発部材４２は、例えば合成ゴム、天然ゴム、エラストマー（ウレタン系、オレフィン系、スチレン系、ポリエステル系）で形成するのが好ましい。この反発部材４２は、空隙部４０を完全に塞ぐ状態で充填してもよく、又は、一部に空隙部４０を残した状態で充填することもできる。
【００３６】
また、図６に示すように、外側フード３２に、保持部材の特に押圧部３８ｂを一体に形成し、空隙部４０をこの外側フード３２内に形成することもできる。この場合には、フード本体３０をより簡単な構造に形成することができる。
【００３７】
このように押圧部３８ｂすなわち保持部材を外側フード３２に一体に形成する場合には、取付脚部７の外面に対する押圧部３８ｂの面接触を可能とし、この取付脚部７をリール脚載置面１８に固定するための十分な力を作用させることができるものであれが、適宜の材料で形成することが可能であるが、剛性および柔軟性が必要なことから、例えばナイロン、ナイロンガラス補強材の材料で形成することが好ましい。
【００３８】
このフード本体３０に形成した空隙部４０にも、図５に示す反発部材４２を配置することが可能である。
【００３９】
なお、上述の実施形態および変形例は、筒状のリールシート本体上をナット部材２８を介してフード本体３０が軸方向に移動する移動フード１６を例にとって説明したが、板状のシート本体を有する板状タイプのリールシートにも適用することができ、更に、移動フードに限らず、固定フードに上述の保持部材３８を設けることも可能である。
【図面の簡単な説明】
【００４０】
【図１】本発明の好ましい実施形態によるリールシートを装着した釣竿の一部を示し、（Ａ）は部分断面図、（Ｂ）は（Ａ）のＢ−Ｂ線に沿う断面図。
【図２】図１に示す状態から移動フードを締付けた状態を示し、（Ａ）は部分断面図、（Ｂ）は（Ａ）のＢ−Ｂ線に沿う断面図。
【図３】図１に示すリールシートのリールシート本体を示し、（Ａ）は側面図、（Ｂ）は（Ａ）のＢ−Ｂ矢視図。
【図４】図１に示すリールシートの移動ナットを示し、（Ａ）は側面図、（Ｂ）は（Ａ）のＢ−Ｂ矢視図、（Ｃ）は（Ｂ）のＣ−Ｃ線に沿う断面図。
【図５】変形例による移動フードを示し、（Ａ）正面図、（Ｂ）は(Ａ）のＢ−Ｂ線に沿う断面図。
【図６】他の変形例による移動フードを示し、（Ａ）正面図、（Ｂ）は(Ａ）のＢ−Ｂ線に沿う断面図
【符号の説明】
【００４１】
７…取付脚部、１０…リールシート、１２…リールシート本体、１６…移動フード、１８…リール脚載置面、２２…固定フード、３６…開口部、３８…保持部材、４０…空隙部。
【図１】
2010035428.tif 000003
【図２】
2010035428.tif 000004
【図３】
2010035428.tif 000005
【図４】
2010035428.tif 000006
【図５】
2010035428.tif 000007
【図６】
2010035428.tif 000008